【手続補正書】
【提出日】平成29年3月30日(2017.3.30)
【手続補正１】
【補正対象書類名】明細書
【補正対象項目名】００１１
【補正方法】変更
【補正の内容】
【００１１】
本発明に係る層流煙検出装置は、監視カメラにより撮像された画像に対して画像処理を施すことにより、層流煙の発生を検出する層流煙検出装置であって、事前準備時に、検出対象である層流煙が実際に発生したときの複数の層流煙画像、誤報源が実際に存在する複数の誤報源画像、および層流煙および誤報源がともに存在しない基準画像を記憶するとともに、監視時に、監視カメラにより撮像された監視対象画像を記憶する画像メモリと、画像メモリ内に記憶された画像ごとに、注目画素と注目画素の周囲画素を順次スキャンし、それぞれの領域ごとに、注目画素の輝度に対するローカルバイナリパターンデータを算出し、複数の層流煙画像、複数の誤報源画像、および監視対象画像の中のいずれか１つを対象画像として算出した第１のローカルバイナリパターンデータと、基準画像に対して算出した第２のローカルバイナリパターンデータを比較し、一致したビット数を計数することで類似度を算出し、対象画像について画像内の注目画素に対応する類似度の平均値を算出することでＬＢＰ特徴量を算出する特徴量抽出部と、複数の層流煙画像を対象画像として特徴量抽出部により算出されたＬＢＰ特徴量について、複数の層流煙画像に関する層流煙特徴量ヒストグラムを作成するとともに、複数の誤報源画像を対象画像として特徴量抽出部により算出されたＬＢＰ特徴量について、複数の誤報源画像に関する誤報源特徴量ヒストグラムを作成する特徴量ヒストグラム作成部と、監視対象画像を対象画像として特徴量抽出部により算出されたＬＢＰ特徴量と、特徴量ヒストグラム作成部により作成された層流煙特徴量ヒストグラムおよび誤報源特徴量ヒストグラムとの相関関係から、監視時に撮像された監視対象画像において層流煙が発生しているか否かを判断する層流煙判定部とを備えるものである。
【手続補正２】
【補正対象書類名】明細書
【補正対象項目名】００１２
【補正方法】変更
【補正の内容】
【００１２】
また、本発明に係る層流煙検出方法は、監視カメラにより撮像された画像に対して画像処理を施すことにより、層流煙の発生を検出する層流煙検出装置であって、事前準備時に、検出対象である層流煙が実際に発生したときの複数の層流煙画像、誤報源が実際に存在する複数の誤報源画像、および層流煙および誤報源がともに存在しない基準画像を画像メモリに記憶するとともに、監視時に、監視カメラにより撮像された監視対象画像を画像メモリに記憶する記憶ステップと、画像メモリ内に記憶された画像ごとに、注目画素と注目画素の周囲画素を順次スキャンし、それぞれの領域ごとに、注目画素の輝度に対するローカルバイナリパターンデータを算出し、複数の層流煙画像、複数の誤報源画像、および監視対象画像の中のいずれか１つを対象画像として算出した第１のローカルバイナリパターンデータと、基準画像に対して算出した第２のローカルバイナリパターンデータを比較し、一致したビット数を計数することで類似度を算出し、対象画像について画像内の注目画素に対応する類似度の平均値を算出することでＬＢＰ特徴量を算出する特徴量抽出ステップと、複数の層流煙画像を対象画像として特徴量抽出ステップにより算出されたＬＢＰ特徴量について、複数の層流煙画像に関する層流煙特徴量ヒストグラムを作成するとともに、複数の誤報源画像を対象画像として特徴量抽出ステップにより算出されたＬＢＰ特徴量について、複数の誤報源画像に関する誤報源特徴量ヒストグラムを作成する特徴量ヒストグラム作成ステップと、監視対象画像を対象画像として特徴量抽出ステップにより算出されたＬＢＰ特徴量と、特徴量ヒストグラム作成ステップにより作成された層流煙特徴量ヒストグラムおよび誤報源特徴量ヒストグラムとの相関関係から、監視時に撮像された監視対象画像において層流煙が発生しているか否かを判断する層流煙判定ステップとを備えるものである。
【手続補正３】
【補正対象書類名】特許請求の範囲
【補正対象項目名】全文
【補正方法】変更
【補正の内容】
【特許請求の範囲】
【請求項１】
監視カメラにより撮像された画像に対して画像処理を施すことにより、層流煙の発生を検出する層流煙検出装置であって、
事前準備時に、検出対象である層流煙が実際に発生したときの複数の層流煙画像、誤報源が実際に存在する複数の誤報源画像、および前記層流煙および前記誤報源がともに存在しない基準画像を記憶するとともに、監視時に、前記監視カメラにより撮像された監視対象画像を記憶する画像メモリと、
前記画像メモリ内に記憶された画像ごとに、注目画素と前記注目画素の周囲画素を順次スキャンし、それぞれの領域ごとに、前記注目画素の輝度に対するローカルバイナリパターンデータを算出し、前記複数の層流煙画像、前記複数の誤報源画像、および前記監視対象画像の中のいずれか１つを対象画像として算出した第１のローカルバイナリパターンデータと、前記基準画像に対して算出した第２のローカルバイナリパターンデータを比較し、一致したビット数を計数することで類似度を算出し、前記対象画像について画像内の注目画素に対応する前記類似度の平均値を算出することでＬＢＰ特徴量を算出する特徴量抽出部と、
前記複数の層流煙画像を前記対象画像として前記特徴量抽出部により算出された前記ＬＢＰ特徴量について、前記複数の層流煙画像に関する層流煙特徴量ヒストグラムを作成するとともに、前記複数の誤報源画像を前記対象画像として前記特徴量抽出部により算出された前記ＬＢＰ特徴量について、前記複数の誤報源画像に関する誤報源特徴量ヒストグラムを作成する特徴量ヒストグラム作成部と、
前記監視対象画像を前記対象画像として前記特徴量抽出部により算出された前記ＬＢＰ特徴量と、前記特徴量ヒストグラム作成部により作成された前記層流煙特徴量ヒストグラムおよび前記誤報源特徴量ヒストグラムとの相関関係から、前記監視時に撮像された前記監視対象画像において層流煙が発生しているか否かを判断する層流煙判定部と
を備える層流煙検出装置。
【請求項２】
請求項１に記載の層流煙検出装置において、
前記特徴量抽出部は、前記ローカルバイナリパターンデータを算出する際に、前記注目画素の上下左右の４近傍の周囲画素、あるいは、前記注目画素の左上、右上、左下、右下の４近傍の周囲画素に対応して前記４ビットからなるローカルバイナリパターンデータを算出する代わりに、前記注目画素の上下左右、左上、右上、左下、右下の８近傍の周囲画素に対応して、８ビットからなるローカルバイナリパターンデータを算出する
層流煙検出装置。
【請求項３】
請求項１または２に記載の層流煙検出装置において、
前記層流煙判定部は、前記特徴量ヒストグラム作成部により作成された前記層流煙特徴量ヒストグラムから、層流煙が発生した可能性が高い特徴量範囲を規定し、前記監視時に前記画像メモリに記憶された前記監視対象画像に対して前記特徴量抽出部により算出された前記ＬＢＰが、前記特徴量範囲に属している場合には、前記監視時に撮像された前記監視対象画像において層流煙が発生していると判断する
層流煙検出装置。
【請求項４】
監視カメラにより撮像された画像に対して画像処理を施すことにより、層流煙の発生を検出する層流煙検出装置であって、
事前準備時に、検出対象である層流煙が実際に発生したときの複数の層流煙画像、誤報源が実際に存在する複数の誤報源画像、および前記層流煙および前記誤報源がともに存在しない基準画像を画像メモリに記憶するとともに、監視時に、前記監視カメラにより撮像された監視対象画像を前記画像メモリに記憶する記憶ステップと、
前記画像メモリ内に記憶された画像ごとに、注目画素と前記注目画素の周囲画素を順次スキャンし、それぞれの領域ごとに、前記注目画素の輝度に対するローカルバイナリパターンデータを算出し、前記複数の層流煙画像、前記複数の誤報源画像、および前記監視対象画像の中のいずれか１つを対象画像として算出した第１のローカルバイナリパターンデータと、前記基準画像に対して算出した第２のローカルバイナリパターンデータを比較し、一致したビット数を計数することで類似度を算出し、前記対象画像について画像内の注目画素に対応する前記類似度の平均値を算出することでＬＢＰ特徴量を算出する特徴量抽出ステップと、
前記複数の層流煙画像を前記対象画像として前記特徴量抽出ステップにより算出された前記ＬＢＰ特徴量について、前記複数の層流煙画像に関する層流煙特徴量ヒストグラムを作成するとともに、前記複数の誤報源画像を前記対象画像として前記特徴量抽出ステップにより算出された前記ＬＢＰ特徴量について、前記複数の誤報源画像に関する誤報源特徴量ヒストグラムを作成する特徴量ヒストグラム作成ステップと、
前記監視対象画像を前記対象画像として前記特徴量抽出ステップにより算出された前記ＬＢＰ特徴量と、前記特徴量ヒストグラム作成ステップにより作成された前記層流煙特徴量ヒストグラムおよび前記誤報源特徴量ヒストグラムとの相関関係から、前記監視時に撮像された前記監視対象画像において層流煙が発生しているか否かを判断する層流煙判定ステップと
を備える層流煙検出方法。